【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
上部と下部とからなる管本体を有し、主として下部が光透過部材で構成されるとともに、前記管本体の内部に管軸方向に冷陰極発光体が延設された照明装置であり、前記上部と下部とからなる管本体は、主として光透過部材で構成される断面略U字状の前記下部と、筒状体である前記上部との一体構造で構成され、前記筒状体の下方位置に管軸方向に延設された複数の冷陰極発光体が配置されていることを特徴とする照明装置。
【請求項２】
前記筒状体の底面が管本体を長手方向に上下に分離する仕切体を構成し、前記仕切体の下面位置には前記下部の光透過部材に向けて冷陰極発光体の光を反射する光反射部材が設けられ、該光反射部材によって前記仕切体の下方位置に管軸方向に延設された複数の冷陰極発光体からの光を、下部の光透過部材に向けて反射できるようになっていることを特徴とする請求項1に記載の照明装置。
【請求項３】
前記筒状体は断面一定の長尺材であり、該筒状体の下方に長手方向に走る溝が設けられ、該溝に対して光透過部材の断面略U字状の両上端部に内向きに延びる爪部が係合するように連結されていることを特徴とする請求項１または２に記載の照明装置。
【請求項４】
前記筒状体と前記光透過部材とが長手方向に溝嵌合されている前記管本体の端部に、端縁封止体が固定されるようになっており、該端縁封止体には、電極が貫通して設けられていることを特徴とする請求項１ないし３のいずれかに記載の照明装置。
【請求項５】
前記管本体の長手方向へ延びる前記照明装置の電気系統として設けられている導線が、前記筒状体内に延設されていることを特徴とする請求項１ないし４のいずれかに記載の照明装置。
【請求項６】
前記端縁封止体の裏面側には、裏面側に延びる係止爪が設けられており、前記筒状体に形成されている係止溝に係止爪が圧入係止されていることを特徴とする請求項４または５に記載の照明装置。
【請求項７】
前記管本体内には、管本体内の長手方向に移動調整可能な、冷陰極発光体を長手方向に向けて把持する把持部を有する発光体保持片を備えていることを特徴とする請求項１ないし６のいずれかに記載の照明装置。
【請求項８】
前記発光体保持片が、前記保持部と把持部とを連結する吊架部を有し、該吊架部が屈伸可能になっていることを特徴とする請求項７に記載の照明装置。
【手続補正２】
【補正対象書類名】明細書
【補正対象項目名】０００６
【補正方法】変更
【補正の内容】
【０００６】
本発明の照明装置は、
上部と下部とからなる管本体を有し、主として下部が光透過部材で構成されるとともに、前記管本体の内部に管軸方向に冷陰極発光体が延設された照明装置であり、前記上部と下部とからなる管本体は、主として光透過部材で構成される断面略U字状の前記下部と、筒状体である前記上部との一体構造で構成され、前記筒状体の下方位置に管軸方向に延設された複数の冷陰極発光体が配置されていることを特徴としている。
この特徴によれば、発光効率が高くかつ使用寿命が長い冷陰極発光体の光源を利用する構造になっているため、蛍光ランプ管と同様、下部の光透過部材を介して広い領域を照明できる照明装置を提供できるうえ、前記上部と下部とからなる管本体における前記上部が筒状体の構造になっているため、照明装置取り付け時などに生じる管本体に働く捻り力に対して、前記上部が変形を抑制し、効果的に管本体のねじり変形を防止するように働く。
【手続補正３】
【補正対象書類名】明細書
【補正対象項目名】０００７
【補正方法】変更
【補正の内容】
【０００７】
本発明の照明装置は、
前記筒状体の底面が管本体を長手方向に上下に分離する仕切体を構成し、前記仕切体の下面位置には前記下部の光透過部材に向けて冷陰極発光体の光を反射する光反射部材が設けられ、該光反射部材によって前記仕切体の下方位置に管軸方向に延設された複数の冷陰極発光体からの光を、下部の光透過部材に向けて反射できるようになっていることを特徴としている。
この特徴によれば、前記上部を構成する筒状体の底面を光反射部材が位置する仕切体として利用できるため、光反射部材の位置決めが容易になるばかりか照明装置における管本体の構造も簡素化できる。
【手続補正４】
【補正対象書類名】明細書
【補正対象項目名】０００８
【補正方法】変更
【補正の内容】
【０００８】
本発明の照明装置は、
前記筒状体は断面一定の長尺材であり、該筒状体の下方に長手方向に走る溝が設けられ、該溝に対して光透過部材の断面略U字状の両上端部に内向きに延びる爪部が係合するように連結されていることを特徴としている。
この特徴によれば、筒状体と光透過部材とが上下方向に分離し辛い構造となるため、管本体に働く捻り力に対して、前記筒状体が変形を抑制し、より効果的に管本体のねじり変形を防止するように働く。
【手続補正５】
【補正対象書類名】明細書
【補正対象項目名】０００９
【補正方法】変更
【補正の内容】
【０００９】
本発明の照明装置は、
前記筒状体と前記光透過部材とが長手方向に溝嵌合されている前記管本体の端部に、端縁封止体が固定されるようになっており、該端縁封止体には、電極が貫通して設けられていることを特徴としている。
この特徴によれば、端縁封止体には電極が貫通して設けられているため、上部と下部との長手方向溝嵌合後に実施される端縁封止体の組み付けにより、照明装置の内部と外部とを連絡する電極を備えた照明装置の管本体が得られることになる。
【手続補正６】
【補正対象書類名】明細書
【補正対象項目名】００１０
【補正方法】変更
【補正の内容】
【００１０】
本発明の照明装置は、
前記管本体の長手方向へ延びる前記照明装置の電気系統として設けられている導線が、前記筒状体内に延設されていることを特徴としている。
この特徴によれば、導線が仕切体の下方を通らず、照明の邪魔になることがない。
【手続補正７】
【補正対象書類名】明細書
【補正対象項目名】００１１
【補正方法】変更
【補正の内容】
【００１１】
本発明の照明装置は、
前記端縁封止体の裏面側には、裏面側に延びる係止爪が設けられており、前記筒状体に形成されている係止溝に係止爪が圧入係止されていることを特徴としている。
この特徴によれば、端縁封止体がワンタッチで管本体に取り付けられることになる。
【手続補正８】
【補正対象書類名】明細書
【補正対象項目名】００１２
【補正方法】変更
【補正の内容】
【００１２】
本発明の照明装置は、
前記管本体内には、管本体内の長手方向に移動調整可能な、冷陰極発光体を長手方向に向けて把持する把持部を有する発光体保持片を備えていることを特徴としている。
この特徴によれば、発光体保持片は、管本体内を延びる冷陰極発光体を支持し、移動時や大きな揺れに対して管本体内の冷陰極発光体を保護する働きをする。特に長手方向にこの発光体保持片を移動設置できることから、管本体や冷陰極発光体の長さ条件等に応じて、冷陰極発光体の一番振れの激しくなるような位置を特定して揺れに対する対処が可能となる。
【手続補正９】
【補正対象書類名】明細書
【補正対象項目名】００１３
【補正方法】変更
【補正の内容】
【００１３】
本発明の照明装置は、
前記発光体保持片が、前記保持部と把持部とを連結する吊架部を有し、該吊架部が屈伸可能になっていることを特徴としている。
この特徴によれば、吊架部の屈曲により長手方向の溝から保持部を外し、さらに吊架部の伸長により長手方向の溝に保持部を嵌合できるようになるため、ワンタッチで発光体保持片を長手方向に容易に移動できることになる。
【手続補正１０】
【補正対象書類名】明細書
【補正対象項目名】００１４
【補正方法】削除
【補正の内容】